(57)【要約】      （修正有）【課題】本考案は、ワイシャツの胸ポケットに、携帯電話やペンや手帳といったビジネス上の必需品であるツールを分類して収納し、落として紛失したり破損や故障したりしないように安全且つ簡便に携行でき、且つそれらが取り出しやすい状態で携行できるようにするものである。【解決手段】仕切りをワイシャツの胸ポケットの内側に設置する。これにより、ワイシャツの胸ポケットの中を、あたかも複数のポケットがあるかのように使用でき、携帯電話、ペン、手帳といった小物を分類して収納することができる。仕切りに収納しているため容易には落とすことは無く、胸ポケットの位置なので簡単に取り出すことが出来る。また、仕切りは、アイロンによる熱粘着で簡単に設置できるようにした。【選択図】図１
0003127694.tif 000002
【実用新案登録請求の範囲】
【請求項１】
ワイシャツの胸ポケットの中を、あたかも複数のポケットがあるかのようにするための、ワイシャツの胸ポケットの内側に設置して使用する携帯電話、ペン、手帳といった小物を分類して収納するための仕切り。
【考案の詳細な説明】
【技術分野】
【０００１】  本考案は、ワイシャツの胸ポケットの中に、携帯電話、ペン、手帳といった小物を分類して収納し易いようにする目的で設置する、仕切りに関するものである。
【背景技術】
【０００２】  従来、ビジネスマンは、背広、ネクタイ、ワイシャツ、といった服装を着用している場合が多い。そして、携帯電話、ペン、手帳といったビジネスの遂行上で必需品のツールは常時携行する。
なかでも、携帯電話は片時も手放せないほど重要なツールである。
しかし、携帯電話の携行の仕方に問題があった。
尚、携帯電話は、派手な着信音や音量はビジネスのモラル上は好ましくないため、着信は、適切な音量かマナーモードの設定であることを前提としている。
さて、携帯電話の携行の仕方は、大体つぎの五通りが考えられる。
▲１▼上衣（背広）のポケットに収納する場合
▲２▼ズボンのポケットに収納する場合
▲３▼腰に携帯電話ホルダーを付けて収納する場合
▲４▼紐により首に掛けている場合
▲５▼ワイシャツの胸ポケットに収納する場合
これらの携行の仕方には、それぞれにデメリットが考えられる。
デメリットは、慣れや習慣によってある程度の改善がされるものではあるものの、慣れや習慣では根本的な解決にはなっていない。
【考案の開示】
【考案が解決しようとする課題】
【０００３】  前述の、携帯電話の携行の仕方には、つぎのようなデメリットが考えられた。
▲１▼上衣のポケットに収納する場合のデメリット
⇒上衣を脱いでいた場合に着信に気づかないことがある。
▲２▼ズボンのポケットに収納する場合のデメリット
⇒ズボンのポケットから携帯電話を取り出しにくいことがある。
⇒着信に気づかないことがある。
▲３▼腰に携帯電話ホルダーを付けて収納する場合のデメリット
⇒携行には便利なのだが、上衣を着ていた場合に、上衣の下にある携帯電話ホルダーから携帯電話を取り出しにくい。
⇒冬にコートを着用している場合は、着信があってから、コートの前ボタンをはずして手を差しいれ、更に上衣の下にある携帯電話ホルダーに手を伸ばさなければ携帯電話を取り出せないため、非常に不便である。
⇒ぎっしりと混んだ電車の座席では、着信の際に隣席の乗客に気を遣うことがある。
⇒混雑した中で、手を腰位置に動かすことがままならない場合もあり、その場合はすみやかに携帯電話を取り出せず、非常に不便を感じる。
▲４▼紐により首に掛けている場合のデメリット
⇒これは個人の主観なのかもしれないが、格好が悪い。
▲５▼ワイシャツの胸ポケットに収納する場合のデメリット
⇒携帯電話の収納位置としては最適であり、▲１▼〜▲４▼のデメリットを回避できるのだが、ワイシャツの胸ポケットに携帯電話を収納すると、移動中や日常の動作中に落下しやすいため、紛失や故障の危険がある。
特に、前傾姿勢で靴紐を結ぶ時や、地面から物を拾い上げる時や、駅の階段を駆け上がった時などでは、ワイシャツの胸ポケットから携帯電話を落としやすかった。
従って、本考案は、ワイシャツの胸ポケットについて、携帯電話が収納しやすく、且つ落下し難くなるような工夫をすることによって、携帯電話を安全、且つ簡便に携行できるようにしようとするものである。
【課題を解決するための手段】
【０００４】  前述▲５▼のデメリット（携帯電話を落としやすい）を解決するため、ワイシャツの胸ポケットの内側に、違和感の無いようにワイシャツと同様な布で作成した仕切りを設置し、携帯電話やペンや手帳といった小物を収納するためのポケットとして利用できるようにした。
仕切りは、アイロンによる熱粘着で簡単に設置できるようにした。
尚、違和感の無いように、というのは個人の主観なので、必ずしもワイシャツと同様な布を使用しなければならない必然性は無い。
【考案の効果】
【０００５】  実際に作成して試してみたところ、前傾姿勢で靴紐を結ぶときも、駅の階段を駆け上がったときも、携帯電話を落とすことは無かった。
また、すみやかに携帯電話を取り出すことができるようになったし、着信に気づかないことが無くなった。
【考案を実施するための最良の形態】
【０００６】  市販されている既成のワイシャツの、胸ポケットの横幅は、実測したところ、大体１２〜１３センチメートルであることから、本考案の仕切りの横幅は１１センチメートルで設計した。
また、仕切りの縦幅は、実験により、５センチメートル以上あれば携帯電話が落ち難いことがわかったので、本考案の仕切りの縦幅は５センチメートルで設計した。
ワイシャツの布地はスベリが良く、ある程度は伸縮するため、仕切りの縦幅が４センチメートル以下だと、仕切りに縦に入れた携帯電話がだんだん斜めになっていき、最終的には胸ポケットの中に横倒しになってしまい、落とす原因にもなる。縦幅は５センチ以上が望ましいと考えられた。
携帯電話にはミニサイズの機種も存在し、それは本考案の仕切りには適さないサイズである。しかし、ミニサイズの機種はきわめて少数であるため、本考案にあたっては、多数例の携帯電話のサイズを想定することとした。
また、手帳はそれなりに厚みがあるものなので、携帯電話とともに胸ポケットに収納するのが無理な場合も想定されるため、適切な薄さのものを使用することが望ましいと考えられた。
以上を踏まえて、図１のようなイメージの仕切りを設計し製作した。
できあがった仕切りの寸法は以下の通りである。
全体の寸法：
横幅（ボトムの部分の合計）      １１センチメートル
（カバーにする部分の合計）  １７センチメートル
内訳：
太いペン用（ボトムの部分）    ３センチメートル
（カバーの部分）    ５センチメートル
携帯電話用（ボトムの部分）    ６センチメートル
（カバーの部分）  １０センチメートル
細いペン用（ボトムの部分）    ２センチメートル
（カバーの部分）    ２センチメートル
縦幅（ボトムの部分）              ５センチメートル
従って、仕切りの製作に必要な生地を裁断する場合のサイズは、縦と横に折り返し部分を１センチメートル延ばして、縦７センチメートル、横２８センチメートルである。
本考案による仕切りの、各々の収納部分の境は、ボトム部分とカバー部分を縫付けることにより、収納部分を構成している。
本提案による仕切りは、ワイシャツ以外であっても、充分な大きさの胸ポケットがついているものであれば適用できるが、生地の種類によってはたるんで伸びてしまったり生地が切れてしまったりする場合も考えられるため、生地の種類や用途や強度については適切な判断を行うことが望ましい。
【実施例】
【０００７】  図２のような仕切りを図１のように胸ポケットの内側に設置する。
仕切りは、アイロンによる熱粘着で簡単に設置できるようにした。これは、既に胸ポケットが付いているワイシャツに後付で仕切りを縫い付けるのが簡単ではないためである。
実際に製作し使用してみて、強度はこれで充分だと判断したが、もしも強度に不安があると考えられる場合は、より信頼性を高めるために縫い付けるべきである。
尚、ワイシャツ胸ポケットの内側には、ワイシャツ側とポケット側の布地があるが、試したところ、どちらに設置しても効果があるが、ワイシャツ側に設置するほうが内容物を落としにくいと分かった。これは、ワイシャツのたるみや生地の伸縮性によるものと考えられた。
【図面の簡単な説明】
【０００８】
【図１】  ワイシャツの胸ポケットの内側に仕切りを設置し、携帯電話、ペン２本（太・細）を収納したイメージ。
【図２】  本考案の仕切り。
【図３】  ワイシャツの胸ポケットの内側に仕切りを設置し、携帯電話、ペン２本（太・細）、手帳を収納するイメージ。
【図１】
0003127694.tif 000003
【図２】
0003127694.tif 000004
【図３】
0003127694.tif 000005
【手続補正書】
【提出日】平成18年9月14日(2006.9.14)
【手続補正１】
【補正対象書類名】実用新案登録請求の範囲
【補正対象項目名】全文
【補正方法】変更
【補正の内容】
【実用新案登録請求の範囲】
【請求項１】
ワイシャツの胸ポケットの横幅より若干小さい横幅と、同ポケットの深さより小さい縦幅を有する長方形状の布地を用いて三層から構成されており、それぞれについては、一層目はアイロンによる熱粘着シートを前述の横幅・縦幅である長方形に裁断したもの、二層目は底面にする部分であり前述の長方形と同じ大きさに裁断された布地、三層目はカバーにする部分であり、横幅は前述の長方形よりも若干長く縦幅は同長方形と同じ長さに裁断された長方形の布地、から成っていて、二層目と三層目で形成される収納筒の底面に一層目の熱粘着シートを付けることにより、ワイシャツの胸ポケットの内側といった狭い場所にアイロンによる熱粘着で装着できるところを特徴とする間仕切り。